(57)【特許請求の範囲】
【請求項１】
照明用の可視光を用いて照明器具と信号受信部との間で通信を行う可視光通信システムにおいて、
前記照明器具は、
赤色光を放射する赤色発光ダイオード、緑色光を放射する緑色発光ダイオード及び青色光を放射する青色発光ダイオードを有する光源部と、
前記光源部から放射される光の色温度を設定するための色温度設定部と、
前記色温度設定部によって設定された色温度に従って各色の発光ダイオードに供給される電流のデューティ比を定める点灯演算部と、
所定の通信データが入力され、その通信データに応じた所定の発光ダイオードからの放射光を変調するための変調情報を設定する通信設定部と、
前記通信データを含有する、所定の発光ダイオードからの放射光を変調した可視光信号が前記信号受信部に対して送出されるように上記各部を制御する送信制御部とを備え、
前記送信制御部は、
前記光源部のうち変調用の発光ダイオードに対して、前記点灯演算部によるデューティ比に基づき該発光ダイオードに供給される電流に、前記通信設定部における変調情報に応じた信号電流を重畳し、前記変調用の発光ダイオードからの放射光を変調した可視光信号を送出する変調制御部と、
前記変調用の発光ダイオードを除く残りの光源部の中の少なくとも１つの発光ダイオードの点灯態様を前記可視光信号の開始タイミングにおいて切り替える変調トリガ制御部とを有することを特徴とする可視光通信システム。
【請求項２】
前記変調制御部によって前記変調情報に応じた信号電流が重畳される変調用の発光ダイオードが赤色発光ダイオードであり、
前記変調トリガ制御部によって点灯態様が切り替えられるトリガ用の発光ダイオードが青色発光ダイオードであることを特徴とする請求項１に記載の可視光通信システム。
【請求項３】
前記変調制御部は、前記可視光信号を送出する可視光通信時と前記可視光信号を送出しない非通信時とにおいて前記変調用の発光ダイオードの光出力が等しくなるように、可視光通信時に該変調用の発光ダイオードに供給される電流の大きさを制御することを特徴とする請求項１又は請求項２に記載の可視光通信システム。
【請求項４】
前記信号受信部は、前記可視光信号の開始タイミングにおけるトリガ用の発光ダイオードの点灯態様により、前記可視光信号の変調周期を取得することを特徴とする請求項１乃至請求項３のいずれか一項に記載の可視光通信システム。
【発明の詳細な説明】
【技術分野】
【０００１】
本発明は、照明用の可視光を用いて照明器具と信号受信部との間で通信を行う可視光通信システムに関する。
【背景技術】
【０００２】
従来より、上述のような可視光通信システムとして、照明器具が発光ダイオード（以下、ＬＥＤという）と、このＬＥＤの点灯及び消灯を切り替え制御する制御回路とを備えたシステムが知られている（特許文献１参照）。このシステムでは、制御回路がＬＥＤの点灯及び消灯を高速に切り替え、信号受信部が該切り替えによる点滅周波数を解読することにより、通信データを送受信するようにしている。なお、このシステムにおいては、ＬＥＤの点灯時間と消灯時間を所定の割合で固定することにより、ＬＥＤからの放射される光の明るさを可視光通信時と非通信時において一定としている。
【０００３】
また、上記システムの他の形態として、照明器具が赤色、緑色及び青色の３色のＬＥＤで構成され、制御回路が赤色ＬＥＤからの放射光のみを変調することにより、通信データを含有する可視光信号を送出するものがある（特許文献２参照）。
【特許文献１】特開２００４−１２０１０１号公報
【特許文献２】特開２００８−３４９８８号公報
【発明の開示】
【発明が解決しようとする課題】
【０００４】
ところで、可視光通信は、通信の際に同期のためのクロック信号を用いない非同期・ワイヤレス・シリアル通信である。また、可視光通信は、信号受信部となる受信端末が歩行者等に所持され、歩行者等の移動中に可視光信号が受信端末に受信されることにより、移動体通信として用いられることがある。従って、可視光通信の性能向上のためには、照明器具と信号受信部との間で同期を取ることが重要となる。
【０００５】
図８は、上述したような従来のシステムにおけるＬＥＤの電流波形を示す。ここでは、所定の通信データに応じて赤色ＬＥＤからの放射光を変調するための変調情報が設定され、この変調情報に応じた信号電流が赤色ＬＥＤに供給される電流に重畳されている。変調情報を設定する際の符号化方式としては、４パルスで２ビットのデータを表す４値ＰＰＭ方式が用いられている。
【０００６】
ここで、照明器具と信号受信部との間で同期が取れるように、可視光信号には該信号の開始タイミングを知らせるためのスタート信号が追加されている。具体的には、赤色ＬＥＤに供給される電流には、４値ＰＰＭ方式による上記信号電流に加えて、該方式とは異なった８パルス分のＨｉｇｈレベルとＬｏｗレベルからなる繰り返し信号が重畳されており、赤色ＬＥＤから放射される赤色光の変調パターンのみで可視光通信の始まりを知らせるようになっている。
【０００７】
そのため、このような従来のシステムでは、システム内においてＳ／Ｎ比が悪いとき、信号受信部が通信データを誤受信する可能性が高くなる。また、１つのＬＥＤから送出される可視光信号に上述のようなスタート信号が追加されているので、システムの通信実効速度が低下する。
【０００８】
本発明は、上記問題を解決するためになされたものであり、通信データの受信性能を向上でき、且つシステムの通信実効速度を向上できる可視光通信システムを提供することを目的とする。
【課題を解決するための手段】
【０００９】
上記目的を達成するために請求項１の発明は、照明用の可視光を用いて照明器具と信号受信部との間で通信を行う可視光通信システムにおいて、前記照明器具は、赤色光を放射する赤色発光ダイオード、緑色光を放射する緑色発光ダイオード及び青色光を放射する青色発光ダイオードを有する光源部と、前記光源部から放射される光の色温度を設定するための色温度設定部と、前記色温度設定部によって設定された色温度に従って各色の発光ダイオードに供給される電流のデューティ比を定める点灯演算部と、所定の通信データが入力され、その通信データに応じた所定の発光ダイオードからの放射光を変調するための変調情報を設定する通信設定部と、前記通信データを含有する、所定の発光ダイオードからの放射光を変調した可視光信号が前記信号受信部に対して送出されるように上記各部を制御する送信制御部とを備え、前記送信制御部は、前記光源部のうち変調用の発光ダイオードに対して、前記点灯演算部によるデューティ比に基づき該発光ダイオードに供給される電流に、前記通信設定部における変調情報に応じた信号電流を重畳し、前記変調用の発光ダイオードからの放射光を変調した可視光信号を送出する変調制御部と、前記変調用の発光ダイオードを除く残りの光源部の中の少なくとも１つの発光ダイオードの点灯態様を前記可視光信号の開始タイミングにおいて切り替える変調トリガ制御部とを有するものである。
【００１０】
請求項２の発明は、請求項１に記載の発明において、前記変調制御部によって前記変調情報に応じた信号電流が重畳される変調用の発光ダイオードが赤色発光ダイオードであり、前記変調トリガ制御部によって点灯態様が切り替えられるトリガ用の発光ダイオードが青色発光ダイオードであるものである。
【００１１】
請求項３の発明は、請求項１又は請求項２に記載の発明において、前記変調制御部は、前記可視光信号を送出する可視光通信時と前記可視光信号を送出しない非通信時とにおいて前記変調用の発光ダイオードの光出力が等しくなるように、可視光通信時に該変調用の発光ダイオードに供給される電流の大きさを制御するものである。
【００１２】
請求項４の発明は、請求項１乃至請求項３のいずれか一項に記載の発明において、前記信号受信部は、前記可視光信号の開始タイミングにおけるトリガ用の発光ダイオードの点灯態様により、前記可視光信号の変調周期を取得するものである。
【発明の効果】
【００１３】
請求項１の発明によれば、変調情報に応じた信号電流が重畳される発光ダイオードとは別の発光ダイオードの点灯態様が、可視光信号の開始タイミングにおいて切り替わるので、この点灯態様の変化が可視光通信の始まりを示すトリガ信号となる。そのため、信号受信部は、該トリガ信号を可視光信号と独立した信号として受信でき、可視光通信の始まりを確実に認識できるので、データ受信性能が向上する。また、可視光信号に該信号の開始タイミングを知らせるためのスタート信号を追加する必要がないので、本システムの実効通信速度が向上する。
【００１４】
請求項２の発明によれば、変調用の発光ダイオードが赤色発光ダイオードであるので、信号受信部において該発光ダイオードからの可視光信号を受光する受光素子として、汎用性の高い赤色フォトダイオードを用いることができ、本システムを安価に構成できる。また、赤色光の波長領域は一般的な照明光から離れているため、本システムの照明器具の設置空間において他の蛍光灯等が点灯していたとしても、信号受信部におけるデータ受信性能が低下することがない。また、青色光は、白色光の輝度に与える影響が赤色光及び緑色光と比べて小さいため、各色の発光ダイオードの赤色光、緑色光及び青色光を合成して光源部から白色光を放射させる場合、トリガ用の発光ダイオードが青色発光ダイオードとされていることにより、該発光ダイオードの点灯態様の切り替えによる白色光の色温度への影響を低減することができる。
【００１５】
請求項３の発明によれば、各色の発光ダイオードの赤色光、緑色光及び青色光を合成して光源部から白色光を放射させる場合、可視光通信時と非通信時とにおける光源部からの白色光の色変化を低減できる。
【００１６】
請求項４の発明によれば、照明器具と信号受信部との間で同期を取り易くなるので、信号受信部におけるデータ受信性能が向上する。また、信号受信部は、可視光信号を受光する前にその変調周期が取得できるので、本システムが複数のデータ通信速度を選択できる場合、自動的に通信速度を設定することが可能となる。
【発明を実施するための最良の形態】
【００１７】
（第１の実施形態）
本発明の第１の実施形態に係る可視光通信システムについて図１乃至図３を参照して説明する。図１は本実施形態に係る可視光通信システム１の電気的なブロック構成を示す。可視光通信システム（以下、本システムという）１は、照明用の可視光を用いて通信を行うものであって、通信データを含む照明光を出力する照明器具２と、照明器具２から出力される照明光により通信データを受信する信号受信部としての受信端末３とで構成される。
【００１８】
まず、本システム１の照明器具２の構成について詳述する。照明器具２は、複数の発光ダイオード（以下、ＬＥＤという）で成る光源部２１と、光源部２１を点灯させる複数のドライバ回路２２と、光源部２１から放射される光の色温度を制御する点灯制御部２３とを備える。光源部２１は、赤色光を放射する赤色ＬＥＤ２１ａと、緑色光を放射する緑色ＬＥＤ２１ｂと、青色光を放射する青色ＬＥＤ２１ｃとを備える。各ドライバ回路２２は、各色のＬＥＤ毎に設けられており、該回路としては、ＰＷＭ方式やカレントミラー方式の回路が使用される。点灯制御部２３は、光源部２１から放射される光の色温度を設定するための色温度設定部２３ａと、色温度設定部２３ａによって設定された色温度に従って各色のＬＥＤに供給される電流のデューティ比を定める点灯演算部２３ｂとを備える。点灯制御部２３は、マイコン等で構成される。
【００１９】
また、照明器具２は、受信端末３に送出する通信データを格納するデータ源２４と、データ源２４に格納された通信データが入力され、その通信データに応じた所定のＬＥＤからの放射光を変調するための変調情報を設定する通信設定部２５と、通信データを含有する、所定のＬＥＤからの放射光を変調した可視光信号が受信端末３に対して送出されるよう制御を行う送信制御部２６とを備える。データ源２４としては、例えば、ＲＯＭやフラッシュメモリ等の記憶装置が挙げられる。また、データ源２４は、照明器具２とネットワーク接続されたパソコン等や、通信データを切り替え設定するディップスイッチ等であってもよい。通信設定部２５において、上記放射光を変調するための変調情報を設定する際の符号化方式として、例えば、４値ＰＰＭ方式が用いられる。
【００２０】
図２は、上記４値ＰＰＭ方式の構成を示す。この方式を用いることで、図示のように２ビットのデータが４個のパルス波形で表されることとなり、通信データの内容に関らず光源部２１の光出力を一定にすることができる。
【００２１】
送信制御部２６は、光源部２１のうち１つのＬＥＤのみに対して、点灯演算部２３ｂによるデューティ比に基づき該ＬＥＤに供給される電流に、通信設定部２５における変調情報に応じた信号電流を重畳する変調制御部２６ａと、残りの光源部２１の中の少なくとも１つのＬＥＤの点灯態様を可視光信号の開始タイミングにおいて切り替える変調トリガ制御部２６ｂとを備える。送信制御部２６は、マイコン等で構成される。本実施形態において、変調制御部２６ａによって変調情報に応じた信号電流が重畳される変調用のＬＥＤが赤色ＬＥＤ２１ａであり、変調トリガ制御部２６ｂによって点灯態様が切り替えられるトリガ用のＬＥＤが青色ＬＥＤ２１ｃである。変調制御部２６ａは、可視光信号を送出する可視光通信時と可視光信号を送出しない非通信時とにおいて赤色ＬＥＤ２１ａの光出力が等しくなるように、可視光通信時に該ＬＥＤ２１ａに供給する電流の大きさを制御する。変調トリガ制御部２６ｂは、可視光信号の開始タイミングにおいて青色ＬＥＤ２１ｃの点灯態様を「消灯状態」から「点灯状態」に切り替える。
【００２２】
図３は各色のＬＥＤ２１ａ、２１ｂ、２１ｃの電流波形を示す。赤色ＬＥＤ２１ａ、青色ＬＥＤ２１ｃ、緑色ＬＥＤ２１ｂには、点灯演算部２３ｂにより定められたデューティ比に基づく電流が供給される。赤色ＬＥＤ２１ａ、青色ＬＥＤ２１ｃ、緑色ＬＥＤ２１ｂに流れる電流の電流値ＩＲ、ＩＧ、ＩＢは、光源部２１から照射される白色光が、色温度設定部２３ａにおいて設定された色温度となるように予め設定されている。ここで、各色のＬＥＤ２１ａ、２１ｂ、２１ｃの点滅１周期当たりの時間は、人間が光のチラツキを感じないように設定され、具体的には、ちらついた光と見えるか連続光と感じるかの境界周波数である臨界融合頻度（critical fusion frequency）の逆数以下に設定される。この臨界融合頻度は３０〜４０Ｈｚ程度である。
【００２３】
また、赤色ＬＥＤ２１ａに流れる電流には、通信設定部２５における変調情報に応じた信号電流が重畳されており、変調波形部分は上述の４値ＰＰＭ方式により通信データが符号化された構成となっている。ここで、変調波形部分の始まり部において、青色ＬＥＤ２１ｃの電流値は０からＩＢとなっており、これにより、青色ＬＥＤ２１ｃの点灯態様が、赤色ＬＥＤ２１ａからの可視光信号の開始タイミングにおいて「消灯状態」から「点灯状態」に切り替わることになる。
【００２４】
次に、図１に戻って本システム１の受信端末３について詳述する。受信端末３は、可視光によるデータ受信が可能なＰＤＡ（Personal Digital Assistant）又は携帯電話等で構成され、受信した通信データに基づいてナビゲーションや静止画及び動画表示等の各種アプリケーションが利用できるものである。受信端末３は、赤色ＬＥＤ２１ａからの光のみを透過する赤色光透過フィルタ３１と、青色ＬＥＤ２１ｃからの光のみを透過する青色光透過フィルタ３２と、赤色光透過フィルタ３１を透過した光を受光して光電変換を行なう赤色光受光部３３と、青色光透過フィルタ３２から透過した光を受光して光電変換を行なう青色光受光部３４とを備える。赤色光受光部３３及び青色光受光部３４は、フォトダイオード又はフォトトランジスタ等で構成される。また、赤色光受光部３３及び青色光受光部３４は、上述のようなフィルタがフォトダイオードに一体化された、各色のＬＥＤからの光を独立して受光可能なカラーセンサであってもよい。
【００２５】
また、受信端末３は、赤色光受光部３３によって光電変換された電気信号を増幅及びフィルタリング処理する信号処理部３５と、信号処理部３５による処理信号を復調して通信データを取得する復調制御部３６と、復調制御部３６が取得した通信データに応じた映像を表示するディスプレイ３７と、該通信データに応じた音声を出力するスピーカ３８とを備える。信号処理部３５は、例えば、オペアンプとバンドパスフィルタで構成され、増幅及びフィルタリング処理により２値化された処理信号を取得する。復調制御部３６は、マイコン等で構成され、信号処理部３５によって２値化された処理信号を復調し、デジタル変換された通信データをディスプレイ３７及びスピーカ３８に送信する。このとき、復調制御部３６は、必要に応じてエラー処理等を行う。
【００２６】
次に、上記のように構成された可視光通信システム１の動作について説明する。まず、照明器具２の動作について説明する。ここでは、色温度設定部２３ａにおいて、光源部２１から放射される光の色温度が設定されているものとする。例えば、光源部２１から白色光を放射させる場合、色温度は５０００ケルビンに設定され、この設定された色温度を各色のＬＥＤ２１ａ、２１ｂ、２１ｃに供給される電流の電流値を一定としたパルス点灯で実現する場合、実験において赤色ＬＥＤ２１ａのデューティ比は約６１％、緑色ＬＥＤ２１ｂのデューティ比がＧは約８０％、青色ＬＥＤ２１ｃのデューティ比は約１５％となる。また、通信設定部２５において、データ源２４に格納された通信データに応じた赤色ＬＥＤ２１ａからの放射光を変調するための変調情報が設定されているものとする。
【００２７】
点灯演算部２３ｂは、色温度設定部２３ａにおいて設定された色温度に従って各色のＬＥＤ２１ａ、２１ｂ、２１ｃに供給される電流のデューティ比を定める。点灯演算部２３ｂによって定められた各デューティ比は、各ドライバ回路２２に設定される。変調制御部２６ａは、点灯演算部２３ｂによるデューティ比に基づき赤色ＬＥＤ２１ａに供給される電流に、通信設定部２５における変調情報に応じた信号電流を重畳する。これにより、通信データを含有する、赤色ＬＥＤ２１ａからの放射光を変調した可視光信号が送出される。このとき、通信データのパケット長さは、点灯演算部２３ｂによるデューティ比に基づいた赤色ＬＥＤ２１ａにおける点滅１周期の点灯時間以下に制限される。また、変調トリガ制御部２６ｂは、青色ＬＥＤ２１ｃの点灯態様を可視光信号の開始タイミングにおいて「消灯状態」から「点灯状態」に切り替える。
【００２８】
次に、受信端末３の動作について説明する。赤色光受光部３３は、赤色光透過フィルタ３１を透過した光を受光して光電変換を行い、青色光受光部３４は青色光透過フィルタ３２から透過した光を受光して光電変換を行なう。信号処理部３５は、赤色光受光部３３によって光電変換された電気信号を増幅及びフィルタリング処理し、２値化された処理信号を取得する。復調制御部３６は、信号処理部３５による処理信号を復調して通信データを取得する。このとき、復調制御部３６は、可視光通信の始まりを、青色光受光部３４から出力された信号の「Ｌｏｗ」から「Ｈｉｇｈ」へのレベル変化により判断する。復調制御部３６は、ナビゲーションや静止画及び動画表示等の各種アプリケーションを動作させ、デジタル変換された通信データをディスプレイ３７及びスピーカ３８に送信する。
【００２９】
以上、本実施形態に係る可視光通信システム１によれば、変調情報に応じた信号電流が重畳される赤色ＬＥＤ２１ａとは別の青色ＬＥＤ２１ｃの点灯態様が、可視光信号の開始タイミングにおいて切り替わるので、この点灯態様の変化が可視光通信の始まりを示すトリガ信号となる。そのため、受信端末３は、該トリガ信号を可視光信号と独立した信号として受信でき、可視光通信の始まりを確実に認識できるので、データ受信性能が向上する。また、可視光信号に該信号の開始タイミングを知らせるためのスタート信号を追加する必要がないので、本システム１の実効通信速度が向上する。
【００３０】
また、変調用のＬＥＤが赤色ＬＥＤ２１ａであるので、受信端末３において該ＬＥＤ２１ａからの可視光信号を受光する受光素子として、汎用性の高い赤色フォトダイオードを用いることができ、本システム１を安価に構成できる。また、赤色光の波長領域は一般的な照明光から離れているため、本システム１の照明器具２の設置空間において他の蛍光灯等が点灯していたとしても、受信端末３におけるデータ受信性能が低下することがない。また、青色光は、白色光の輝度に与える影響が赤色光及び緑色光と比べて小さいため、各色のＬＥＤ２１ａ、２１ｂ、２１ｃの赤色光、緑色光及び青色光を合成して光源部２１から白色光を放射させる場合、トリガ用のＬＥＤが青色ＬＥＤ２１ｃとされていることにより、該ＬＥＤ２１ｃの点灯態様の切り替えによる白色光の色温度への影響を低減することができる。
【００３１】
また、各色のＬＥＤ２１ａ、２１ｂ、２１ｃの赤色光、緑色光及び青色光を合成して光源部２１から白色光を放射させる場合に、可視光通信時と非通信時とにおける光源部２１からの白色光の色変化を低減できる。
【００３２】
（第２の実施形態）
本発明の第２の実施形態に係る可視光通信システムについて図４及び図５を参照して説明する。図４は本実施形態に係る可視光通信システム１の電気的なブロック構成を示し、図５は各色のＬＥＤ２１ａ、２１ｂ、２１ｃの電流波形を示す。本実施形態は、変調用のＬＥＤとして、赤色ＬＥＤ２１ａと緑色ＬＥＤ２１ｂを用いることにより、照明器具２が通信データを多重送信する点で第１の実施形態と相違する。
【００３３】
本システム１の通信設定部２５は、データ源２４から入力された通信データを、予め定めておいた所定のルールに従って赤色ＬＥＤ２１ａと緑色ＬＥＤ２１ｂに対応する２つデータに分割し、分割したデータそれぞれに応じた変調情報を設定する。上記所定のルールとしては、例えば、分割したデータに番号を付与し、奇数番号を赤色ＬＥＤ２１ａ、偶数番号を緑色ＬＥＤ２１ｂに割り当てる方法が挙げられる。本システム１の変調制御部２６ａは、赤色ＬＥＤ２１ａに加えて、点灯演算部２３ｂによるデューティ比に基づき緑色ＬＥＤ２１ｂに供給される電流に、通信設定部２５における変調情報に応じた信号電流を重畳する。ここで、緑色光は白色光の輝度に与える影響が大きいため、各色のＬＥＤ２１ａ、２１ｂ、２１ｃの赤色光、緑色光及び青色光を合成して光源部２１から白色光を放射させる場合、可視光通信時と非通信時とにおいて光源部２１の光出力が等しくなるように、非通信時における点灯レベルは可視光通信時における点灯レベルの最大値の略３／４に設定される。また、各色のＬＥＤ２１ａ、２１ｂ、２１ｃの点滅１周期当たりの時間は、第１の実施形態と同様に、臨界融合頻度（critical fusion frequency）の逆数以下に設定される。変調トリガ制御部２６ｂは、第１の実施形態と同様に青色ＬＥＤ２１ｃの点灯態様を可視光信号の開始タイミングにおいて切り替える。
【００３４】
本システム１の受信端末３は、赤色光透過フィルタ３１と青色光透過フィルタ３２と、赤色光受光部３３、青色光受光部３４に加えて、緑色ＬＥＤ２１ｂからの光のみを透過する緑色光透過フィルタ３９と、緑色光透過フィルタ３９を透過した光を受光して光電変換を行なう緑色光受光部４０とを備える。信号処理部３５は、赤色光受光部３３によって光電変換された電気信号に加えて、緑色光受光部４０によって光電変換された電気信号を増幅及びフィルタリング処理し、赤色光受光部３３と緑色光受光部４０に対応する２種類の処理信号を取得する。復調制御部３６は、信号処理部３５による２種類の処理信号を復調し、２つのデジタル変換された通信データを合成する。
【００３５】
これにより、照明器具２と受信端末３との間で効率よくデータ通信を行うことが可能となり、本システム１の実効通信速度が向上する。
【００３６】
（第３の実施形態）
本発明の第３の実施形態に係る可視光通信システムについて図６及び上述の図１を参照して説明する。図６は本実施形態に係る可視光通信システム１における各色のＬＥＤ２１ａ、２１ｂ、２１ｃの電流波形を示す。本実施形態は、データ源２４に格納された通信データが複数のパケットに分割され、赤色ＬＥＤ２１ａの可視光信号が、該ＬＥＤのデューティ制御による複数の点滅周期にまたがる点で第１の実施形態と相違する。変調トリガ制御部２６ｂは、先頭のパケットの始まり部分に対応する可視光信号の開始タイミングにおいて青色ＬＥＤ２１ｃの点灯態様を「消灯状態」から「点灯状態」に切り替え、先頭のパケット以外のパケットの始まり部分に対応する可視光信号の開始タイミングにおいては、青色ＬＥＤ２１ｃの点灯態様を切り替えないようにする。受信端末３の復調制御部３６は、青色光受光部３４により光電変換された電気信号に基づき、複数のパケットに分割された通信データを取得する。これにより、可視光信号がデューティ制御による複数の点滅周期にまたがった通信データを送出することができる。
【００３７】
（第４の実施形態）
本発明の第４の実施形態に係る可視光通信システムについて図７を参照して説明する。図７は本実施形態に係る可視光通信システム１における各色のＬＥＤ２１ａ、２１ｂ、２１ｃの電流波形を示す。本実施形態おいては、変調トリガ制御部２６ｂは、青色ＬＥＤ２１ｃに供給される電流ドライブ電流に、赤色ＬＥＤ２１ａからの可視光信号の変調周期ｓと同じ周期としたパルス状の信号電流を重畳するようにしている。受信端末３は、上記のような、可視光信号の開始タイミングにおける青色ＬＥＤ２１ｃの点灯態様により、可視光信号の変調周期を取得する。これにより、受信端末３は可視光信号と同期を取り易くなので、受信端末３におけるデータ受信性能が向上する。また、受信端末３は、可視光信号を受光する前に、その変調周期が取得できるので、本システム１が複数のデータ通信速度を選択できる場合、自動的に通信速度を設定することが可能となる。
【００３８】
なお、本発明は、上記各種実施形態の構成に限られず、発明の趣旨を変更しない範囲で種々の変形が可能である。例えば、変調トリガ制御部２６ｂが、可視光信号の開始タイミングにおいて青色ＬＥＤ２１ｃの点灯態様を「点灯状態」から「消灯状態」に切り替えるものであってもよい。
【図面の簡単な説明】
【００３９】
【図１】本発明の第１の実施形態に係る可視光通信システムのブロック図。
【図２】通信設定部における４値ＰＰＭ方式による符号化の説明図。
【図３】（ａ）は上記可視光通信システムの各ＬＥＤの電流波形を示す図、（ｂ）は赤色ＬＥＤの電流波形において変調波形部分を示す図。
【図４】本発明の第２の実施形態に係る可視光通信システムのブロック図。
【図５】（ａ）は上記可視光通信システムの各ＬＥＤの電流波形を示す図、（ｂ）は赤色ＬＥＤの電流波形において変調波形部分を示す図、（ｃ）は緑色ＬＥＤの電流波形において変調波形部分を示す図。
【図６】（ａ）は本発明の第３の実施形態に係る可視光通信システムの各ＬＥＤの電流波形を示す図、（ｂ）は赤色ＬＥＤの電流波形において変調波形部分を示す図。
【図７】（ａ）は本発明の第４の実施形態に係る可視光通信システムの各ＬＥＤの電流波形を示す図、（ｂ）は赤色ＬＥＤの電流波形において変調波形部分を示す図、（ｃ）は青色ＬＥＤの電流波形において変調波形部分を示す図。
【図８】従来の可視光通信システムの各ＬＥＤの電流波形を示す図。
【符号の説明】
【００４０】
１  可視光通信システム
２  照明器具
３  受信端末（信号受信部）
２１  光源部
２１ａ  赤色ＬＥＤ（赤色発光ダイオード）
２１ｂ  緑色ＬＥＤ（緑色発光ダイオード
２１ｃ  青色ＬＥＤ（青色発光ダイオード）
２３ａ  色温度設定部
２３ｂ  点灯演算部
２５  通信設定部
２６  送信制御部
２６ａ  変調制御部
２６ｂ  変調トリガ制御部
【図１】
0005179260.tif 000002
【図２】
0005179260.tif 000003
【図３】
0005179260.tif 000004
【図４】
0005179260.tif 000005
【図５】
0005179260.tif 000006
【図６】
0005179260.tif 000007
【図７】
0005179260.tif 000008
【図８】
0005179260.tif 000009